(57)【要約】【課題】  従来にない形態で図柄を変化させることのできる図柄表示具およびスクリーン部付き容器を提供する。【解決手段】  缶容器３の外周面の表面に、所定の幅を有する描画線４１ａ〜ｅが所定の間隔をもって複数平行に、かつ缶容器３の軸方向に対して傾斜するように形成されてなる図柄４０ａ〜ｅを、描画線２の幅に対応する間隔で相互に位置をずらして複数設ける。一方、筒状の熱収縮性フィルム１に、所定の幅を有する線状の不透明部２１と所定の幅を有する線状の透明部２２とが交互に平行に、かつ缶容器３における描画線４１ａ〜ｅの傾斜に対応して傾斜するようにそれぞれ複数設けられたスクリーン部２を設ける。そして、その筒状の熱収縮性フィルム１を缶容器３の外周面に装着する。【選択図】  図１
2006154520.tif 000002
【特許請求の範囲】
【請求項１】
基部と、前記基部の表面上において縦方向および／または横方向に移動可能なスクリーン部とを備えた図柄表示具であって、
前記基部の表面には、所定の幅を有する描画線が所定の間隔をもって複数平行に、かつ前記スクリーン部の移動方向に対して傾斜するように形成されてなる図柄が、前記描画線の幅に対応する間隔で相互に位置をずらして複数設けられており、
前記スクリーン部には、所定の幅を有する線状の遮蔽部と所定の幅を有する線状の可視部とが交互に平行に、かつ前記基部における描画線の傾斜に対応して傾斜するようにそれぞれ複数設けられている
ことを特徴とする図柄表示具。
【請求項２】
前記基部は、円筒状または円柱状となっており、
前記スクリーン部は、前記基部の周方向および／または軸方向に移動可能に前記基部の外周面に取り付けられた円筒状部材に設けられている
ことを特徴とする請求項１に記載の図柄表示具。
【請求項３】
前記円筒状部材は、フィルムから構成されており、前記基部の外周面に接触して摺動可能となっていることを特徴とする請求項２に記載の図柄表示具。
【請求項４】
前記スクリーン部の移動方向のいずれか一方に対する前記基部における描画線の傾斜角度は、１０〜８０°であることを特徴とする請求項１〜３のいずれか１項に記載の図柄表示具。
【請求項５】
容器本体と、前記容器本体の表面上において縦方向および／または横方向に移動可能なスクリーン部とを備えたスクリーン部付き容器であって、
前記容器本体の表面には、所定の幅を有する描画線が所定の間隔をもって複数平行に、かつ前記スクリーン部の移動方向に対して傾斜するように形成されてなる図柄が、前記描画線の幅に対応する間隔で相互に位置をずらして複数設けられており、
前記スクリーン部には、所定の幅を有する線状の遮蔽部と所定の幅を有する線状の可視部とが交互に平行に、かつ前記容器本体における描画線の傾斜に対応して傾斜するようにそれぞれ複数設けられている
ことを特徴とするスクリーン部付き容器。
【請求項６】
前記容器本体は、円筒部を備えており、
前記スクリーン部は、前記容器本体の円筒部の周方向および／または軸方向に移動可能に前記容器本体の円筒部の外周面に取り付けられた円筒状部材に設けられている
ことを特徴とする請求項５に記載のスクリーン部付き容器。
【請求項７】
前記円筒状部材は、熱収縮性フィルムから構成されており、前記容器本体の円筒部の外周面に接触して摺動可能となっていることを特徴とする請求項６に記載のスクリーン部付き容器。
【請求項８】
前記スクリーン部の移動方向のいずれか一方に対する前記容器本体における描画線の傾斜角度は、１０〜８０°であることを特徴とする請求項５〜７のいずれか１項に記載のスクリーン部付き容器。
【発明の詳細な説明】
【技術分野】
【０００１】
本発明は、図柄を変化させて表示することのできる図柄表示具および図柄を変化させて表示することのできるスクリーン部付きの容器に関するものである。
【背景技術】
【０００２】
特許文献１には、上部フィルムを摺動させることにより、上部フィルムの線状透明部から線状パターン図柄を構成する何れかの線状描写部を順次表出させて、容器表面で視認される図柄を変化させることができるようにした包装容器が開示されている。包装容器の形状としては、矩形状に形成された容器本体と容器本体の上端開口部に着脱可能に嵌着される蓋体とを備えたもの、および有底円筒状の容器本体を備えたものがあり、前者の場合には、線状描写部および上部フィルムは蓋体の平面部に設けられ、後者の場合には、線状描写部および上部フィルムは容器本体の外周面に設けられている。
【特許文献１】実用新案登録第３０９５２６５号公報
【発明の開示】
【発明が解決しようとする課題】
【０００３】
しかしながら、特許文献１に記載の包装容器では、上部フィルムは、容器表面に対して線状描写部の線方向と直交する方向のみに摺動可能になっている。
【０００４】
本発明は、このような実状に鑑みてなされたものであり、従来にない形態で図柄を変化させることのできる図柄表示具およびスクリーン部付き容器を提供することを目的とする。
【課題を解決するための手段】
【０００５】
上記目的を達成するために、第１に本発明は、基部と、前記基部の表面上において縦方向および／または横方向に移動可能なスクリーン部とを備えた図柄表示具であって、前記基部の表面には、所定の幅を有する描画線が所定の間隔をもって複数平行に、かつ前記スクリーン部の移動方向（縦方向および／または横方向）に対して傾斜するように形成されてなる図柄が、前記描画線の幅に対応する間隔で相互に位置をずらして複数設けられており、前記スクリーン部には、所定の幅を有する線状の遮蔽部と所定の幅を有する線状の可視部とが交互に平行に、かつ前記基部における描画線の傾斜に対応して傾斜するようにそれぞれ複数設けられていることを特徴とする図柄表示具を提供する（請求項１）。
【０００６】
上記発明（請求項１）に係る図柄表示具においては、図柄の描画線ならびにスクリーン部の遮蔽部および可視部が、スクリーン部の移動方向（縦方向および／または横方向）に対して傾斜していることにより、基部の表面上においてスクリーン部を縦方向および横方向のいずれに移動させても、スクリーン部の可視部から複数の図柄が順次表示され得る。かかる図柄表示具は、図柄を変化させるにあたって面白みがあり、娯楽性が高いものとなっている。
【０００７】
上記発明（請求項１）において、前記基部は、円筒状または円柱状となっており、前記スクリーン部は、前記基部の周方向および／または軸方向に移動可能に前記基部の外周面に取り付けられた円筒状部材に設けられていてもよい（請求項２）。
【０００８】
上記発明（請求項２）によれば、簡単な構造で、スクリーン部を基部の表面上において縦方向および／または横方向に移動させることが可能である。
【０００９】
上記発明（請求項２）において、前記円筒状部材は、フィルムから構成されており、前記基部の外周面に接触して摺動可能となっていてもよい（請求項３）。
【００１０】
上記発明（請求項３）によれば、さらに簡単な構造で、スクリーン部を基部の表面上において縦方向および／または横方向に移動させることが可能である。
【００１１】
上記発明（請求項１〜３）において、前記スクリーン部の移動方向のいずれか一方（縦方向または横方向）に対する前記基部における描画線の傾斜角度は、１０〜８０°であることが好ましい（請求項４）。描画線の傾斜角度が上記範囲にあることにより、基部の表面上においてスクリーン部を縦方向および横方向のいずれに移動させても、図柄の変化が明確に表れ得る。
【００１２】
第２に本発明は、容器本体と、前記容器本体の表面上において縦方向および／または横方向に移動可能なスクリーン部とを備えたスクリーン部付き容器であって、前記容器本体の表面には、所定の幅を有する描画線が所定の間隔をもって複数平行に、かつ前記スクリーン部の移動方向（縦方向および／または横方向）に対して傾斜するように形成されてなる図柄が、前記描画線の幅に対応する間隔で相互に位置をずらして複数設けられており、前記スクリーン部には、所定の幅を有する線状の遮蔽部と所定の幅を有する線状の可視部とが交互に平行に、かつ前記容器本体における描画線の傾斜に対応して傾斜するようにそれぞれ複数設けられていることを特徴とするスクリーン部付き容器を提供する（請求項５）。
【００１３】
上記発明（請求項５）に係るスクリーン部付き容器においては、図柄の描画線ならびにスクリーン部の遮蔽部および可視部が、スクリーン部の移動方向（縦方向および／または横方向）に対して傾斜していることにより、容器本体の表面上においてスクリーン部を縦方向および横方向のいずれに移動させても、スクリーン部の可視部から複数の図柄が順次表示され得る。かかるスクリーン部付き容器は、図柄を変化させるにあたって面白みがあり、娯楽性が高いものとなっている。
【００１４】
上記発明（請求項５）において、前記容器本体は、円筒部を備えており、前記スクリーン部は、前記容器本体の円筒部の周方向および／または軸方向に移動可能に前記容器本体の円筒部の外周面に取り付けられた円筒状部材に設けられていてもよい（請求項６）。
【００１５】
上記発明（請求項６）によれば、簡単な構造で、スクリーン部を容器本体の表面上において縦方向および／または横方向に移動させることが可能である。また、円筒部を備えている容器は飲料容器等において多く採用されているため、本発明の適当対象が広くなって好ましい。
【００１６】
上記発明（請求項６）において、前記円筒状部材は、熱収縮性フィルムから構成されており、前記容器本体の円筒部の外周面に接触して摺動可能となっていてもよい（請求項７）。
【００１７】
上記発明（請求項７）によれば、さらに簡単な構造で、スクリーン部を容器本体の表面上において縦方向および／または横方向に移動させることが可能であり、また、加熱処理を行うだけで、円筒状部材を容易に容器本体に装着することが可能である。
【００１８】
上記発明（請求項５〜７）において、前記スクリーン部の移動方向のいずれか一方（縦方向または横方向）に対する前記容器本体における描画線の傾斜角度は、１０〜８０°であることが好ましい（請求項８）。描画線の傾斜角度が上記範囲にあることにより、容器本体の表面上においてスクリーン部を縦方向および横方向のいずれに移動させても、図柄の変化が明確に表れ得る。
【発明の効果】
【００１９】
本発明の図柄表示具およびスクリーン部付き容器は、従来にない形態で図柄を変化させることができ、したがって、図柄を変化させるにあたって面白みがあり、娯楽性が高いものとなっている。特に、本発明のスクリーン部付き容器によれば、容器の内容物に対する需要者の購買意欲を向上させることができる。
【発明を実施するための最良の形態】
【００２０】
以下、本発明の実施形態について説明する。
図１は、本発明の一実施形態に係るスクリーン部付き容器の側面図であり、図２は、同実施形態における熱収縮性フィルムの展開図であり、図３は、同実施形態における缶容器の外周面に設けられた図柄部を示す図であり、図４（ａ）〜（ｅ）は、同実施形態のスクリーン部付き容器における図柄の変遷を示す図である。
【００２１】
図１に示すように、本実施形態に係るスクリーン部付き容器Ｃは、容器本体としての缶容器３と、缶容器３の円筒状の胴部の外周面に装着された、円筒状部材としての熱収縮性フィルム１とから構成される。本実施形態における缶容器３は、飲料用の缶容器であるが、円筒状の部分を有する限り、容器の種類（用途・材料）は特に限定されるものではない。
【００２２】
缶容器３の外周面には、後述する図柄部４が設けられており、熱収縮性フィルム１には、後述するスクリーン部２が設けられている。
【００２３】
熱収縮性フィルム１を上記のように缶容器３に装着するには、熱収縮性フィルム１を筒状に形成するとともに、所定の高さを有するように形成した後、缶容器３の図柄部４と熱収縮性フィルム１のスクリーン部２との位置合わせをしつつ、熱収縮性フィルム１を缶容器３の胴部に被せ、スチームトンネルや熱風トンネル等の加熱エリアで加熱することにより、熱収縮性フィルム１を熱収縮させればよい。
【００２４】
熱収縮性フィルム１の材料としては、上記のように缶容器３に装着することができ、後述するスクリーン部２の機能を発揮することができるものであれば特に限定されず、例えば、ニ軸延伸ポリスチレン（ＯＰＳ）フィルム等のポリスチレン系樹脂を使用したフィルム、ポリエチレンテレフタレート（ＰＥＴ）フィルム等のポリエステル系樹脂を使用したフィルムなどを使用することができる。
【００２５】
熱収縮性フィルム１に設けられたスクリーン部２には、図２に示すように、幅Ｗ１の線状の不透明部２１（本発明の遮蔽部に該当）と幅Ｗ２の線状の透明部２２（本発明の可視部に該当）とが交互に平行に、かつ筒状の熱収縮性フィルム１の軸方向（＝缶容器３の軸方向）に対して傾斜するようにそれぞれ複数設けられている。このようなスクリーン部２は、透明な熱収縮性フィルム１に対して不透明部２１を印刷することによって設けることができる。
【００２６】
一方、缶容器３の外周面における熱収縮性フィルム１のスクリーン部２に対応する位置には、図３に示すように、図柄部４が形成されている。図柄部４は、複数（本実施形態では５つ）の図柄４０ａ〜４０ｅを備えており、各図柄４０ａ〜４０ｅは、幅Ｗ４のスペース４２を介して複数平行に、かつ缶容器３の軸方向に対して傾斜するように配された幅Ｗ３の描画線４１ａ〜４１ｅから構成されている。そして、図柄４０ａと図柄４０ｂ、図柄４０ｂと図柄４０ｃ、図柄４０ｃと図柄４０ｄ、図柄４０ｄと図柄４０ｅとは、それぞれ幅Ｗ３の描画線４１ａ〜４１ｅに対応する間隔で相互に位置をずらして設けられている。
【００２７】
スクリーン部２の不透明部２１の幅Ｗ１と、図柄部４のスペース４２の幅Ｗ４とは、実質的に同一であるのが好ましく、スクリーン部２の透明部２２の幅Ｗ２は、図柄部４の描画線４１ａ〜４１ｅの幅Ｗ３と同一かそれよりわずかに小さいのが好ましく、また、スクリーン部２の不透明部２１の幅Ｗ１および図柄部４のスペース４２の幅Ｗ４は、図柄部４の描画線４１ａ〜４１ｅの幅Ｗ３と、図柄の数から１を引いた値（本実施形態では５−１＝４）とを掛け合わせた値であることが好ましい。
【００２８】
図柄部４の描画線４１ａ〜４１ｅの幅Ｗ３は、具体的には、０．１〜１．０ｍｍであることが好ましく、特に０．３〜０．７ｍｍであることが好ましい。図柄部４の描画線４１ａ〜４１ｅの幅Ｗ３がこの範囲にあることにより、各図柄４０ａ〜４０ｅを明確に、しかも躍動感をもって表示することができる。
【００２９】
さらに、スクリーン部２における不透明部２１および透明部２２の傾斜角度（缶容器３の軸に対する角度。以下同じ。）と、図柄部４における描画線４１ａ〜４１ｅの傾斜角度とは実質的に同一であり、その傾斜角度の大きさは、１０〜８０°であることが好ましく、特に２０〜７０°であることが好ましい。
【００３０】
スクリーン部２および図柄部４が上記のような構成を有することにより、スクリーン部２の透明部２２は、図柄部４のいずれか一つの図柄４０ａ〜４０ｅの描画線４１ａ〜４１ｅを表示し、スクリーン部２の不透明部２１は、図柄部４の残りの４つの図柄４０ａ〜４０ｅの描画線４１ａ〜４１ｅを隠すことができる。そして、熱収縮性フィルム１を図柄部４の描画線４１ａ〜４１ｅの幅Ｗ３に対応する間隔で缶容器３の周方向に摺動させると、スクリーン部２の透明部２２から、図柄部４の複数の図柄４０ａ〜４０ｅが順次表出する。同様に、熱収縮性フィルム１を図柄部４の描画線４１ａ〜４１ｅの幅Ｗ３に対応する間隔で缶容器３の軸方向に摺動させると、スクリーン部２の透明部２２から、図柄部４の複数の図柄４０ａ〜４０ｅが順次表出する。
【００３１】
具体的には、缶容器３に対して熱収縮性フィルム１を図柄部４の描画線４１ａ〜４１ｅの幅Ｗ３に対応する間隔で缶容器３の周方向、時計回りに摺動させると、または、缶容器３に対して熱収縮性フィルム１を図柄部４の描画線４１ａ〜４１ｅの幅Ｗ３に対応する間隔で缶容器３の軸方向、下から上に摺動させると、図４（ａ）〜（ｅ）に示すように、スクリーン部２の透明部２２から５つの図柄４０ａ〜４０ｅが順次表出し、それによってバッターがスウィングする様子が動的に表される。
【００３２】
なお、スクリーン部２における不透明部２１および透明部２２の傾斜角度ならびに図柄部４における描画線４１ａ〜４１ｅの傾斜角度が１０°未満であると、熱収縮性フィルム１を缶容器３の軸方向に摺動させたときに、図柄の変化が明確に表れ難く、上記傾斜角度が８０°を超えると、熱収縮性フィルム１を缶容器３の周方向に摺動させたときに、図柄の変化が明確に表れ難い。
【００３３】
上記のようなスクリーン部付き容器Ｃにおいては、熱収縮性フィルム１を缶容器３の周方向に摺動させることによっても、熱収縮性フィルム１を缶容器３の軸方向に摺動させることによっても、スクリーン部２に表わされる図柄を変化させることができるため、図柄を変化させる方法として面白みがあり、娯楽性の高いものとなっている。かかるスクリーン部付き容器Ｃによれば、缶容器３の内容物（本実施形態では飲料）に対する需要者の購買意欲を向上させることができる。
【００３４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００３５】
例えば、上記缶容器３の替わりに、円筒状の部分を有する瓶容器やＰＥＴボトル等が使用されてもよいし、容器ではなく、円筒状または円柱状の部分を有する基材が使用されてもよい（本発明の図柄表示具に該当する）。また、上記熱収縮性フィルム１の替わりに、円筒状のプラスチック部材や、スクリーン部２の透明部２２に該当する部分が開口している円筒状の金属部材等が使用されてもよい。
【００３６】
さらに、別途作製した、スクリーン部を有する円筒状部材を備えた円筒状または円柱状の基材を上記缶容器３に被せたり、または嵌め込んだりしてもよく、このように、図柄表示具を缶容器３と別体構造としてもよい。
【００３７】
さらに、本発明は、例えば、平面部を有する容器等の当該平面部に上記図柄部４を設けるとともに、上記スクリーン部２を所定のフレームに固定し、そのフレームを、上記平面部上にて縦方向および横方向に移動可能なように、コイルばねやゴム等の弾性部材によってフローティング状態で支持したものであってもよい。
【００３８】
さらに、スクリーン部２に表わされる図柄は、熱収縮性フィルム１の摺動により、形状が変化するものに限定されることなく、色のみ、または形状および色が変化するものであってもよい。その場合、各図柄４０ａ〜４０ｅの色が異なることにより、表れる色が変化してもよいし、図柄部４の色とスクリーン部２の有色透明な透明部２２とが合わさることにより、表れる色が変化してもよい。
【産業上の利用可能性】
【００３９】
本発明の図柄表示具は、玩具等として有用である。また、本発明のスクリーン部付き容器は、娯楽性によって容器の内容物に対する需要者の購買意欲を向上させることができるため、容器の内容物の販売促進に有用である。
【図面の簡単な説明】
【００４０】
【図１】本発明の一実施形態に係るスクリーン部付き容器の側面図である。
【図２】同実施形態における熱収縮性フィルムの展開図である。
【図３】同実施形態における缶容器の外周面に設けられた図柄部を示す図である。
【図４】同実施形態のスクリーン部付き容器における図柄の変遷を示す図である。
【符号の説明】
【００４１】
１…熱収縮性フィルム（円筒状部材）
２…スクリーン部
２１…不透明部（遮蔽部）
２２…透明部（可視部）
３…缶容器（容器本体）
４…図柄部
４０ａ，４０ｂ，４０ｃ，４０ｄ，４０ｅ…図柄
４１ａ，４１ｂ，４１ｃ，４１ｄ，４１ｅ…描画線
４２…スペース
【図１】
2006154520.tif 000003
【図２】
2006154520.tif 000004
【図３】
2006154520.tif 000005
【図４】
2006154520.tif 000006